(57)【要約】      （修正有）【課題】使用者が安全にかつ安心して使用することができるハンディタイプのダニアレルゲン吸引ブラシを提供する。【解決手段】筐体１と、筐体１に取り付けられ、複数のブラシ毛４を有するブラッシング部３と、筐体１に取り付けられたフィルター６と、筐体１内に配置された吸引ファン８と、を備える。吸引ファン８により筐体１内に吸引される空気をフィルター６で濾過して空気に含まれるダニアレルゲンをフィルター６で捕集し、濾過された空気を筐体１内から排出する。フィルター６には、ダニアレルゲンを不活化するダニアレルゲン不活化剤と、生きたダニに摂取させるためのセラミックス粒子と、が含まれている。【選択図】図１
0003189215.tif 000002
【実用新案登録請求の範囲】
【請求項１】
筐体と、前記筐体に取り付けられ、複数のブラシ毛を有するブラッシング部と、前記筐体に取り付けられたフィルターと、前記筐体内に配置された吸引ファンと、を備え、前記吸引ファンにより前記筐体内に吸引される空気を前記フィルターで濾過して前記空気に含まれるダニアレルゲンを前記フィルターで捕集し、濾過された前記空気を前記筐体内から排出するハンディタイプのダニアレルゲン吸引ブラシにおいて、前記フィルターに、前記ダニアレルゲンを不活化するダニアレルゲン不活化剤と、生きたダニに摂取させるためのセラミックス粒子と、が含まれていることを特徴とするダニアレルゲン吸引ブラシ。
【請求項２】
前記フィルターは、第１の不織布層と、前記第１の不織布層よりも繊維が密に集積した第２の不織布層とが重ね合わされた２層構造であり、
前記フィルターは、前記第１の不織布層が前記空気の吸引方向の上流側に位置し、前記第２の不織布層が前記吸引方向の下流側に位置するように、前記筐体に取り付けられ、
前記第１の不織布層の前記吸引方向の上流側の表面に、前記ダニアレルゲン不活化剤及び前記セラミックス粒子が添加されていることを特徴とする請求項１に記載のダニアレルゲン吸引ブラシ。
【請求項３】
前記空気を前記筐体内に吸引するための吸引口が、前記ブラッシング部に形成され、
前記筐体内の前記空気を外部へ排出するための排気口が、前記ブラッシング部とは反対側に位置するように前記筐体に形成されていることを特徴とする請求項１または請求項２に記載のダニアレルゲン吸引ブラシ。
【考案の詳細な説明】
【技術分野】
【０００１】
本考案は、ダニアレルゲンを吸引してフィルターに捕集するダニアレルゲン吸引ブラシに関する。
【背景技術】
【０００２】
ダニは、布団、ベッド、絨毯、畳などに生息している。ダニの死骸、ダニの糞、ダニの脱被殻などには、アレルギー症状を引き起こす原因物質であるダニアレルゲンが含まれている。アレルギー症状を引き起こすことがないように、布団などからダニアレルゲンを除去する必要がある。
【０００３】
従来から、例えば、布団を叩くことで布団からダニアレルゲンを除去するというようなことが行われている。しかし、この方法は、アレルゲンが周囲に舞い散り、布団を叩いている人がダニアレルゲンを吸い込んだり、舞い散ったダニアレルゲンが布団に再付着したりして、効率的ではない。
【０００４】
また、掃除機によってダニアレルゲンを吸引除去することも行われている。しかし、掃除機は、吸引力が強すぎて布団の内部のダニアレルゲンが表面にまで引き出されて、表面に残存してしまうことがある。
【０００５】
本出願の出願人は、花粉等の粉塵を吸引除去する吸引ブラシを開発している（特許文献１参照）。この吸引ブラシは、花粉等の微細物を、ブラシ毛によって布団などの表面から掃き出し、吸引ファンによって吸引し、フィルターによって捕集する。この吸引ブラシをダニアレルゲン除去に用いれば、布団などの表面にあるダニアレルゲンを撒き散らすことなく吸引し、フィルターに捕集することが可能である。
【先行技術文献】
【特許文献】
【０００６】
【特許文献１】実登第３１２９６３６号公報
【考案の概要】
【考案が解決しようとする課題】
【０００７】
しかし、特許文献１の吸引ブラシをダニアレルゲンの吸引除去の目的に使用する場合、以下のような問題が考えられる。フィルターを交換するときに、フィルターに捕集されたダニアレルゲンが飛散する可能性がある。さらに、生きたダニ（以下、生ダニという）を吸引すると、生ダニがフィルター内で増殖する可能性がある。このように、特許文献１の吸引ブラシは、ダニアレルゲン対策及び生ダニ対策がなされていなかった。
【０００８】
そこで、本考案が解決しようする課題は、使用者が安全にかつ安心して使用することができるダニアレルゲン吸引ブラシを提供することにある。
【課題を解決するための手段】
【０００９】
上記課題を解決するために、本考案に係るダニアレルゲン吸引ブラシは、筐体と、前記筐体に取り付けられ、複数のブラシ毛を有するブラッシング部と、前記筐体に取り付けられたフィルターと、前記筐体内に配置された吸引ファンと、を備え、前記吸引ファンにより前記筐体内に吸引される空気を前記フィルターで濾過して前記空気に含まれるダニアレルゲンを前記フィルターで捕集し、濾過された前記空気を前記筐体内から排出するハンディタイプのダニアレルゲン吸引ブラシにおいて、前記フィルターに、前記ダニアレルゲンを不活化するダニアレルゲン不活化剤と、生きたダニに摂取させるためのセラミックス粒子と、が含まれていることを特徴とする。
【００１０】
好ましくは、前記フィルターは、第１の不織布層と、前記第１の不織布層よりも繊維が密に集積した第２の不織布層とが重ね合わされた２層構造であり、前記フィルターは、前記第１の不織布層が前記空気の吸引方向の上流側に位置し、前記第２の不織布層が前記吸引方向の下流側に位置するように、前記筐体に取り付けられ、前記第１の不織布層の前記吸引方向の上流側の表面に、前記ダニアレルゲン不活化剤及び前記セラミックス粒子が添加されている。
【００１１】
好ましくは、前記空気を前記筐体内に吸引するための吸引口が、前記ブラッシング部に形成され、前記筐体内の前記空気を外部へ排出するための排気口が、前記ブラッシング部とは反対側に位置するように前記筐体に形成されている。
【考案の効果】
【００１２】
本考案に係るはダニアレルゲン吸引ブラシによれば、フィルターに捕集されたダニアレルゲンは、フィルターに含まれるダニアレルゲン不活化剤により不活化する。また、フィルターに捕集された生ダニは、フィルターに含まれるセラミックス粒子を摂取することにより、水分バランスを崩し、脱水状態になり死滅する。
【００１３】
以上のように、本考案に係るダニアレルゲン吸引ブラシによれば、捕集されたダニアレルゲンを不活化でき、捕集された生ダニを死滅させてダニの増殖を抑えることができる。従って、本考案に係るダニアレルゲン吸引ブラシは、安全にかつ安心して使用することができる。
【図面の簡単な説明】
【００１４】
【図１】本考案に係るダニアレルゲン吸引ブラシの一実施形態を示す図であり、図１Ａは斜視図であり、図１Ｂは長手方向縦断面図である。
【図２】本考案に係るダニアレルゲン吸引ブラシの一実施形態を示す図であり、図２Ａは底面図であり、図２Ｂは長手方向横断面図である。
【図３】本考案に係るダニアレルゲン吸引ブラシに備えられたフィルターの概略的な構成を説明する断面図である。
【考案を実施するための形態】
【００１５】
以下、図面を参照して本考案に係るダニアレルゲン吸引ブラシについて説明する。
図１に示されるように、ダニアレルゲン吸引ブラシは、内部が中空の筐体１を備えている。ダニアレルゲン吸引ブラシはハンディタイプであり、使用するときに使用者が把持するグリップ部２が筐体１に設けられている。
【００１６】
さらに、ダニアレルゲン吸引ブラシは、筐体１に着脱可能に取り付けられるブラッシング部３を備えている。ブラッシング部３は、図１、図２Ａの通り、複数のブラシ毛４と、該ブラシ毛４が植設されたブラシ台５とを備えている。ブラシ毛４は、複数本集まってブラシ毛束を形成しており、該ブラシ毛束がブラシ台５に複数配列されている。ブラシ毛４は、ダニアレルゲンを布団、ベッド、絨毯、畳などの表面から確実に弾き出すことができるように、弾性力のある材質からなり、かつ短毛であることが好ましい。本実施例のブラシ毛４のブラシ台５の表面からの長さＬは、約１０ｍｍに設定されているが、当然これに限定されるものではない。
【００１７】
図１Ｂの通り、ダニアレルゲン吸引ブラシは、ダニアレルゲン、花粉、ホコリなどの微細物を捕集するフィルター６を備えている。フィルター６は、筐体１のフィルター収容部７に収容されて取り付けられ、筐体１に取り付けられたブラッシング部３のブラシ台５の裏面に対向する。また、フィルター６は、交換できるようにフィルター収容部７に着脱可能に取り付けられる。フィルター６のより詳細な構成は、後述する。
【００１８】
ダニアレルゲン吸引ブラシは、空気を吸引するために筐体１内に配置された吸引ファン８を備えている。吸引ファン８は、複数の羽根を有するシロッコファン９と、シロッコファン９の羽根を回転させる駆動手段としてのＤＣモーター１０とからなる。シロッコファン９は、筐体１内に形成されたファン収容部１１に収容され、ＤＣモーター１０は、ファン収容部１１の外側上面に配置されており、ＤＣモーター１０の駆動軸がファン収容部１１を貫通してシロッコファン９の回転軸に接続されている。
【００１９】
また、ＤＣモーター１０に電力を供給するための供給手段としての電池Ｅが、グリップ部２内に配置されている。電池ＥとＤＣモーター１０とは不図示のコードを介して電気的に接続されており、また筐体１に設けられたスイッチ１２（図１Ａ）よって電気的な接続がＯＮ／ＯＦＦに切り替え自在となっている。スイッチ１２をＯＮにすると、ＤＣモーター１０が作動してシロッコファン９の羽根が回転する。
【００２０】
ダニアレルゲン吸引ブラシでは、図２Ａの通り、空気を筐体１内に吸引するための吸引口１３がブラッシング部３のブラシ台５に複数形成されており、図１の通り、筐体１内の空気を排出するための排気口１４が筐体１に形成されている。排気口１４は、ブラッシング部３（吸引口１３）とは反対側に位置するように筐体１に形成されている。さらに、吸引口１３と排気口１４とを連通するための連通路が筐体１内に形成されている。図１Ｂ、図２Ｂの通り、連通路は、上流側（即ち、吸引口１３側）から順に、フィルター収容部７、ファン収容部１１、空気排出部１５によって形成される。フィルター収容部７とファン収容部１１とは第１の連通口１６（図１Ｂ）を介して連通し、ファン収容部１１と空気排出部１５とは第２の連通口１７（図２Ｂ）を介して連通している。上記構成により、吸引ファン８を作動させると、空気が吸引口１３から吸引されて筐体１のフィルター収容部７、ファン収容部１１、空気排出部１５を順番に通って、排気口１４から排出される気流が生じるようになっている。なお、本実施例では、約３０００ｒｐｍの高速回転で空気を吸引でき、吸引空気量は約０．４ｍ３／分である。
【００２１】
次に、ダニアレルゲン対策及び生ダニ対策に特化したフィルター６の構成について説明する。フィルター６は、平面視で矩形状であり、プリーツ状に加工されている。図３に、フィルター６の概略的な断面が示されている。なお、図３に示された矢印は、空気の吸引方向を示している。フィルター６は、第１の不織布層１８と第２の不織布層１９とが重ね合わされた２層構造を有する。フィルター６は、第１の不織布層１８が空気の吸引方向の上流側に位置し（即ち、ブラッシング部３側を向くように）、第２の不織布層１９が空気の吸引方向の下流側に位置するように（即ち、吸引ファン８側を向くように）、フィルター収容部７に取り付けられている。
【００２２】
このフィルター６の第１の不織布層１８には、ダニアレルゲン対策として、ダニアレルゲンを不活化するダニアレルゲン不活化剤が含まれている。さらに、フィルター６の第１の不織布層１８には、生ダニ対策として、生ダニに摂取させるためのセラミックス粒子２０が含まれている。
【００２３】
ダニアレルゲン不活化剤としては、例えば、特開２００５−３４３９８１号公報に記載されているイチョウ葉、ボダイジュ、ユッカ、及び月桃のうち１種または２種以上の抽出物を有効成分とする天然抽出物由来のものや、特開２００７−０３９６２０号公報に記載されている二酸化ケイ素，酸化亜鉛及び酸化アルミニウムのうち２種以上からなる複合鉱物を有効成分とする鉱物由来のものなどを始めとする周知のものが適用される。
【００２４】
ダニアレルゲン不活化剤は、少なくとも第１の不織布層１８の吸引方向の上流側の表面２２に、含浸または塗布によって添加されている。それにより、図３のように、ダニアレルゲン不活化剤中のアレルゲン不活化成分２１が第１の不織布層１８の少なくとも表面２２の繊維に付着する。このアレルゲン不活化成分２１が、ダニアレルゲンを吸着し分解することで不活化する。なお、ダニアレルゲン不活化剤を、第１の不織布層１８の表面２２にだけ添加するのではなく、第１の不織布層１８の全体に、含浸により添加してもよい。本実施例では、第１の不織布層１８として、ダイワボウ社製のダニアレルゲン不活化剤が予め添加されたフィルターが用いられている。
【００２５】
セラミックス粒子２０は、ダニが摂取できる大きさであれば、ダニがセラミックス粒子２０を摂取したときに、そのダニの水分を奪って（脱水して）、そのダニを乾燥させて、死滅させるという防止ダニ効果を有することが知られている。セラミックス粒子２０の粒子径は、１μｍ〜数十μｍ程度であり、例えば１μｍ〜１０μｍの範囲にある。
【００２６】
生ダニ対策用のセラミックス粒子２０は、硼酸系セラミックスからなることが好ましい。さらに、硼酸系セラミックスは、例えば特開平０９−１４３０１８号公報に記載されているように、Ｂ2 Ｏ3 とＣａＯの結合体及びＢ2 Ｏ3 とＭｇＯの結合体の双方または一方を含むものからなることが好ましい。なお、本実施例では、セラミックス粒子２０として、石塚硝子株式会社製の硼酸系セラミックスからなるものが用いられている。
【００２７】
セラミックス粒子２０は、図３の通り、第１の不織布層１８の吸引方向の上流側の表面２２に添加されており、表面２２全体に分散している。セラミックス粒子２０は、適切な付着剤を介して、第１の不織布層１８の表面２２の繊維に付着させている。
【００２８】
吸引方向の下流側の第２の不織布層１９は、第１の不織布層１８よりも繊維が密に集積している。この第２の不織布層１９は、数ミクロンの微粒子を９９．９％以上捕集することができるものである。本実施例では、第２の不織布層１９として、フロンテイア産業社製のポリプロピレンからなるフィルターが用いられている。
【００２９】
上記構成の第２の不織布層１９は、高性能の濾過材として機能する。一方、第２の不織布層１９よりも繊維が粗に集積している第１の不織布層１８は、濾過材としても機能するが、前述の通り、主に第２の不織布層１９の固定およびダニアレルゲン不活化剤及びセラミックス粒子２０を保持する保持材として機能する。
【００３０】
次に、上記構成のダニアレルゲン吸引ブラシの動作について説明する。使用者は、グリップ部２を把持し、吸引ファン８を作動させながらブラッシング部３のブラシ毛４により布団などの表面をブラッシングする。それによって、ダニアレルゲン、ダニアレルゲンを含むダニの糞、ダニの死骸、ダニの脱皮殻、生ダニなどが布団などの表面から弾き出される。ダニアレルゲン吸引ブラシは、弾き出されたダニアレルゲンを含む空気を吸引口１３から筐体１内に吸引し、フィルター６を通過させることにより濾過して、当該空気に含まれるダニアレルゲンをフィルター６で捕集する。そして、ダニアレルゲン吸引ブラシは、筐体１内の濾過されてダニアレルゲン、生ダニなどを含まない清浄な空気を排気口１４から排出する。なお、当然ながら、ダニアレルゲンだけでなく花粉やホコリなどの微細物も吸引されてフィルター６に捕集される。
【００３１】
上記のようにして、フィルター６により捕集されたダニアレルゲンは、フィルター６に含まれるダニアレルゲン不活化剤により不活化する。また、生ダニを吸い込んでフィルター６で捕集した場合、当該生ダニは、フィルター６に含まれるセラミックス粒子２０を摂取することにより、乾燥して死滅する。それによって、フィルター６内での生ダニの増殖（繁殖）が防止される。
【００３２】
フィルター６の交換は、ブラッシング部３を筐体１から取り外してから、フィルター６をフィルター収納部７から取り外すことにより可能である。先の通り、フィルター６に捕集されたダニアレルゲンは不活化しており、かつ、生ダニも増殖することなく死滅しているので、安心してフィルター６を交換できる。
【００３３】
また、このダニアレルゲン吸引ブラシは、図１Ｂの通り、排気口１４がブラッシング部３と反対側に形成されているので、使用中に筐体１から排出される清浄な空気を布団などの表面に向けて排出することはない。それによって、布団などの表面にあるダニアレルゲンを排気により撒き散らすようなことはない。
【００３４】
以上の通り、本考案に係るダニアレルゲン吸引ブラシは、使用者が安全にかつ安心して使用することができる。なお、本考案の範囲は、上記実施例に限定されるものではない。
【符号の説明】
【００３５】
１  筐体
２  グリップ部
３  ブラッシング部
４  ブラシ毛
５  ブラシ台
６  フィルター
７  フィルター収容部
８  吸引ファン
９  シロッコファン
１０  ＤＣモーター
１１  ファン収容部
１２  スイッチ
１３  吸引口
１４  排気口
１５  空気排出部
１６  第１の連通口
１７  第２の連通口
１８  第１の不織布層
１９  第２の不織布層
２０  セラミックス粒子
２１  ダニアレルゲン不活化剤のアレルゲン不活化成分
２２  第１の不織布層の吸引方向の上流側の表面
Ｅ  電池
Ｌ  ブラシ毛の長さ
【図１】
0003189215.tif 000003
【図２】
0003189215.tif 000004
【図３】
0003189215.tif 000005